(57)【要約】【課題】  高品位な音声及び映像を再生する。【解決手段】  オーディオプリアンプユニット１４０Ａの後段分離部における後段チャンネル分離処理、並びにオーディオプリアンプユニット１４０Ａのチャンネル信号調整部における周波数分離処理及び音響特性調整処理に際してはＦＩＲ直線位相型フィルタが用いられる。このため、これらの処理において位相特性の劣化が発生しない。また、オーディオプリアンプユニット１４０Ａにおける遅延制御及び表示制御ユニット１７０Ａにおける遅延制御により、リップシンクを図る。【選択図】  図１
2008131589.tif 000002
【特許請求の範囲】
【請求項１】
音声コンテンツ及び映像コンテンツを含むコンテンツを再生するコンテンツ再生装置であって、
前記音声コンテンツに由来する音声信号の周波数分離調整及び周波数特性調整の少なくとも一方を、直線位相型の有限インパルス応答フィルタを利用して行う音響調整手段と；
前記音声信号を音声遅延時間だけ遅延させる音声遅延手段と；
前記音響調整手段により調整され、かつ、前記音声遅延手段により遅延された信号に基づいて音声を再生し、所定の音場空間へ向けて出力する音声出力手段と；
前記音場空間の視聴位置における前記音声出力手段から出力された音声との同期用に定められた映像遅延時間だけ、前記映像コンテンツに由来する映像信号を遅延させる映像遅延手段と；
前記映像遅延手段により遅延された映像信号に基づいて、映像を再生表示する表示手段と；
を備えることを特徴とするコンテンツ再生装置。
【請求項２】
前記音声遅延手段に対して前記音声遅延時間を指定するとともに、前記映像遅延手段に対して前記映像遅延時間を指定する遅延制御手段を更に備える、ことを特徴とする請求項１に記載のコンテンツ再生装置。
【請求項３】
前記音声信号に代るテスト音声信号を生成するとともに、前記映像信号に代る前記テスト音声信号と所定の時間関係を有するテスト映像信号を生成するテスト信号生成手段と；
前記テスト音声信号に基づいて前記音声出力手段により出力された音声の前記視聴位置への到達タイミングを検出するテスト音声検出手段と；
前記テスト映像信号に基づく前記表示手段における表示タイミングを検出するテスト映像検出手段と；を更に備え、
前記遅延制御手段は、前記テスト音声検出手段及び前記テスト映像検出手段による検出結果に基づいて、前記音声遅延時間及び前記映像遅延時間の少なくとも一方の調整を行う、ことを特徴とする請求項２に記載のコンテンツ再生装置。
【請求項４】
操作指令が入力される操作入力手段を更に備え、
前記遅延制御手段は、前記操作入力手段に前記音声出力手段による音声出力のタイミングと前記表示手段による映像表示タイミングとの調整指令が入力された場合に、前記音声遅延時間及び前記映像遅延時間の少なくとも一方の調整を行う、ことを特徴とする請求項２又は３に記載のコンテンツ再生装置。
【請求項５】
前記コンテンツは記録媒体に記録され、
前記調整の結果である最終調整値を前記記録媒体の識別情報と関連付けて記録する遅延調整値記録手段を更に備え、
前記遅延制御手段は、前記最終調整値が記録されていた場合には、前記記録媒体に記録された前記最終調整値に基づいて、前記音声遅延時間及び前記映像遅延時間の少なくとも一方の調整を行う、
ことを特徴とする請求項４に記載のコンテンツ再生装置。
【請求項６】
前記音声コンテンツに基づき、前記音声信号として複数種のチャンネルごとの個別チャンネル信号を生成する個別チャンネル信号生成手段を更に備え、
前記音響調整手段は、前記個別チャンネル信号のそれぞれに対応して設けられ、直線位相型の有限インパルス応答フィルタを利用して、前記個別チャンネル信号に関する音響特性を調整する複数の個別音響特性調整手段を備え、
前記音声遅延手段は、前記個別チャンネル信号のそれぞれに対応して設けられ、前記個別チャンネル信号に対応する個別音声遅延時間だけ前記個別チャンネル信号を遅延させる複数の個別音声遅延手段を備える、
ことを特徴とする請求項１〜５のいずれか一項に記載のコンテンツ再生装置。
【請求項７】
前記個別チャンネル信号生成手段は、
前記音声コンテンツにおけるチャンネル指定に基づき、複数の信号に分離する前段分離手段と；
前記前段分離手段で分離された信号に基づいて、前記個別チャンネル信号を生成する後段分離手段と；を備え、
前記後段分離手段は、
前記前段分離手段で分離された信号のそれぞれにおける所定周波数未満の成分を、直線位相型の有限インパルス応答フィルタを利用して抽出する低周波成分抽出手段と；
前記低周波成分抽出手段により抽出された複数の信号の和を算出することにより、前記個別チャンネル信号における特定個別チャンネルの信号を生成する加算手段と；
前記特定個別チャンネル以外のチャンネルに対応して前記前段分離手段から出力された信号における所定周波数以上の成分を、直線位相型の有限インパルス応答フィルタを利用して抽出することにより、前記個別チャンネル信号における前記特定個別チャンネルの信号以外の信号を生成する高周波成分抽出手段と；を備える
ことを特徴とする請求項６に記載のコンテンツ再生装置。
【請求項８】
音声コンテンツ及び映像コンテンツを含むコンテンツを再生するコンテンツ再生方法であって、
前記音声コンテンツに由来する音声信号に関する音響特性を、直線位相型の有限インパルス応答フィルタを利用して調整する音響特性調整工程と；
前記音声信号を音声遅延時間だけ遅延させる音声遅延工程と；
前記音響特性調整工程において音響特性が調整され、かつ、前記音声遅延工程において遅延された音声信号に基づいて再生された音声を、所定の音場空間へ向けて出力させる音声出力工程と；
前記音場空間における視聴位置において前記音声出力工程で出力された音声との同期用に定められた映像遅延時間だけ、前記映像コンテンツに由来する映像信号を遅延させる映像遅延工程と；
前記映像遅延工程において遅延された映像信号に基づいて再生された映像を表示させる表示工程と；
を備えることを特徴とするコンテンツ再生方法。
【請求項９】
請求項８に記載のコンテンツ再生方法を演算手段に実行させる、ことを特徴とするコンテンツ再生プログラム。
【請求項１０】
請求項９に記載のコンテンツ再生プログラムが、演算手段により読み取り可能に記録された記録媒体。
【発明の詳細な説明】
【技術分野】
【０００１】
本発明は、コンテンツ再生装置、コンテンツ再生方法、コンテンツ再生プログラム及び当該コンテンツ再生プログラムが記録された記録媒体に関する。
【背景技術】
【０００２】
近年におけるＤＶＤ（Digital Versatile Disk）等の記録媒体を利用したコンテンツ収納技術及びコンテンツ再生技術の進展に伴い、音声と映像とを含む映画等のコンテンツを再生するコンテンツ再生装置が普及してきている。こうしたコンテンツ再生装置を利用することにより、利用者は、コンテンツの再生結果である音声と映像とを楽しむことができる。
【０００３】
かかるコンテンツ再生装置では、一般に、音声の再生に際して行われる音響調整にＩＩＲ（Infinite Impulse Response）フィルタ又はアナログトーンコントロール回路を用いている（特許文献１等参照：以下、従来例という）。このため、記録媒体等からの音声コンテンツデータ及び映像コンテンツデータをそのままデコードして再生しても、再生音声のスピーカからの出力タイミングと再生映像の表示デバイスにおける表示タイミングとの間において時間ズレは殆ど発生しない。この結果、利用者は、感覚的に大きな違和感を生じさせずに、再生音声や再生画像を視聴することができていた。
【０００４】
【特許文献１】特開平８−１８２０９７号公報
【発明の開示】
【発明が解決しようとする課題】
【０００５】
上述した従来例の再生技術では、音響調整にＩＩＲフィルタ又はアナログトーンコントロール回路を用いているので、オリジナルの音声コンテンツを忠実に再生した場合から位相周波数特性に乱れを生じる。また、音声を出力するスピーカには、コイルやキャパシタを用いたマルチウエイスピーカを用い、時にはクロスオーバ周波数が異なるものが使用されている。
【０００６】
さらに、マルチチャンネルサラウンド方式を採用する場合には、複数のスピーカを使用することになるが、これらの複数のスピーカを聴取位置から等距離に配置することが、コンテンツ再生装置を設置する室の環境面から困難である場合があった。特に車両にコンテンツ再生装置を搭載する場合には、複数のスピーカを車室内の聴取位置から等距離に配置することができない場合がしばしば発生する。このため、各スピーカから聴取位置までの音声伝達特性である振幅特性や位相特性を同一とすることは、一般には困難である。
【０００７】
ＩＩＲフィルタ又はアナログトーンコントロール回路を採用する音響調整装置では、振幅特性を補正することは可能であるが、位相特性までを補正することはできない。さらに、複数のスピーカを採用する場合には、各スピーカが固有の位相伝達特性を有することが一般的である。
【０００８】
このため、マルチチャンネルサラウンド方式を採用した場合においても、視聴位置における高品質な音声の再生と、当該音声との関係で視聴位置において違和感を発生させることがない映像の再生が可能な技術が待望されている。かかる要請に応えることが、本発明が解決するべき課題の一つとして挙げられる。
【０００９】
本発明は、上記の事情を鑑みてなされたものであり、高品位な音声及び映像を再生することができるコンテンツ再生装置及びコンテンツ再生方法を提供することを目的とする。
【課題を解決するための手段】
【００１０】
請求項１に記載の発明は、音声コンテンツ及び映像コンテンツを含むコンテンツを再生するコンテンツ再生装置であって、前記音声コンテンツに由来する音声信号の周波数分離調整及び周波数特性調整の少なくとも一方を、直線位相型の有限インパルス応答フィルタを利用して行う音響調整手段と；前記音声信号を音声遅延時間だけ遅延させる音声遅延手段と；前記音響調整手段により調整され、かつ、前記音声遅延手段により遅延された信号に基づいて音声を再生し、所定の音場空間へ向けて出力する音声出力手段と；前記音場空間の視聴位置における前記音声出力手段から出力された音声との同期用に定められた映像遅延時間だけ、前記映像コンテンツに由来する映像信号を遅延させる映像遅延手段と；前記映像遅延手段により遅延された映像信号に基づいて、映像を再生表示する表示手段と；を備えることを特徴とするコンテンツ再生装置である。
【００１１】
請求項８に記載の発明は、音声コンテンツ及び映像コンテンツを含むコンテンツを再生するコンテンツ再生方法であって、前記音声コンテンツに由来する音声信号に関する音響特性を、直線位相型の有限インパルス応答フィルタを利用して調整する音響特性調整工程と；前記音声信号を音声遅延時間だけ遅延させる音声遅延工程と；前記音響特性調整工程において音響特性が調整され、かつ、前記音声遅延工程において遅延された音声信号に基づいて再生された音声を、所定の音場空間へ向けて出力させる音声出力工程と；前記音場空間における視聴位置において前記音声出力工程で出力された音声との同期用に定められた映像遅延時間だけ、前記映像コンテンツに由来する映像信号を遅延させる映像遅延工程と；前記映像遅延工程において遅延された映像信号に基づいて再生された映像を表示させる表示工程と；を備えることを特徴とするコンテンツ再生方法である。
【００１２】
請求項９に記載の発明は、請求項７に記載のコンテンツ再生方法を演算手段に実行させる、ことを特徴とするコンテンツ再生プログラムである。
【００１３】
請求項１０に記載の発明は、請求項８に記載のコンテンツ再生プログラムが、演算手段により読み取り可能に記録された記録媒体である。
【発明を実施するための最良の形態】
【００１４】
以下、本発明の実施形態を、図１〜図１８を参照して説明する。なお、以下の説明及び図面においては、同一又は同等の要素には同一の符号を付し、重複する説明を省略する。
【００１５】
［第１実施形態］
まず、本発明の第１実施形態を、図１〜図１３を参照して説明する。
［構成］
図１には、第１実施形態に係るコンテンツ再生装置１００Ａの概略的な構成がブロック図にて示されている。なお、以下の説明においては、コンテンツ再生装置１００Ａは、車両ＣＲ（図９参照）に搭載される装置であるものとする。
【００１６】
図１に示されるように、コンテンツ再生装置１００Ａは、ＤＶＤドライブユニット１１０と、ドライブ制御ユニット１２０Ａとを備えている。また、コンテンツ再生装置１００Ａは、テスト音声検出手段の一部としての集音ユニット１３０と、オーディオプリアンプユニット１４０Ａと、オーディオメインアンプユニット１５０と、音声出力手段としてのスピーカユニット１６０1〜１６０7とを備えている。
【００１７】
また、コンテンツ再生装置１００Ａは、表示制御ユニット１７０Ａと、表示手段としての表示ユニット１８０Ａとを備えている。さらに、コンテンツ再生装置１００Ａは、操作入力手段としての操作入力ユニット１９０を備えている。
【００１８】
なお、ドライブ制御ユニット１２０Ａ、オーディオプリアンプユニット１４０Ａ及び表示制御ユニット１７０Ａは、例えばＩＥＥＥ１３９４で規定されるバス３００を介して、相互に接続されている。
【００１９】
ＤＶＤドライブユニット１１０は、ドライブ制御指令ＤＣＴとしてデータ読出指令をドライブ制御ユニット１２０Ａから受けた場合には、装填されたＤＶＤに記録された音声コンテンツ及び映像コンテンツを含むコンテンツのデータ等を読み取って、読取データ信号ＲＤＤとしてドライブ制御ユニット１２０Ａへ送る。また、ＤＶＤドライブユニット１１０は、ドライブ制御指令ＤＣＴとして指定データを含むデータ書込指令をドライブ制御ユニット１２０Ａから受けた場合には、装填されたＤＶＤに指定データを記録する。
【００２０】
なお、ＤＶＤには、音声コンテンツが、マルチチャンネルサラウンド方式の一つである６．１ｃｈサラウンド方式で記録されている。かかる６．１ｃｈサラウンド方式では、音声チャンネルとして、フロントセンタチャンネル（以下、「ＦＣチャンネル」とも記す）、フロントレフトチャンネル（以下、「ＦＬチャンネル」とも記す）、フロントライトチャンネル（以下、「ＦＲチャンネル」とも記す）、リアセンタチャンネル（以下、「ＲＣチャンネル」とも記す）、リアレフトチャンネル（以下、「ＲＬチャンネル」とも記す）、リアライトチャンネル（以下、「ＲＲチャンネル」とも記す）、サブウーハチャンネル（以下、「ＳＷチャンネル」とも記す）が用意されている。
【００２１】
また、ＤＶＤには、映像コンテンツがＭＰＥＧ形式でコード化されて記録されているものとする。
【００２２】
ドライブ制御ユニット１２０Ａは、図２に示されるように、ドライブ制御部１２１Ａと、バスインターフェース部１２２とを備えている。また、ドライブ制御ユニット１２０Ａは、データ出力選択部１２３と、音声／映像分離部１２４Ａとを備えている。さらに、ドライブ制御ユニット１２０Ａは、テスト信号生成手段としての同期調整信号発生部１２５を備えている。
【００２３】
ドライブ制御部１２１Ａは、操作入力ユニット１９０から報告された利用者による指令入力ＩＰＤに従って、ＤＶＤドライブユニット１１０に対してドライブ制御指令ＤＣＴを発行することにより、ＤＶＤに記録されたデータの読取、及び、ＤＶＤへのデータ書込をＤＶＤドライブユニット１１０に行わせる。また、ドライブ制御部１２１Ａは、オーディオプリアンプユニット１４０Ａ及び表示制御ユニット１７０Ａとの間で通信を行い、動作協調を図る。
【００２４】
さらに、ドライブ制御部１２１Ａは、ドライブ制御ユニット１２０Ａの他の構成要素１２２〜１２５を制御する。かかる制御を行うことにより、ＤＶＤに記録されたコンテンツにおける音声コンテンツのデータのオーディオプリアンプユニット１４０Ａへの送信、及び、ＤＶＤに記録されたコンテンツにおける映像コンテンツのデータの表示制御ユニット１７０Ａへの送信を制御する。
【００２５】
バスインターフェース部１２２は、ドライブ制御部１２１Ａによる制御のもとで、ドライブ制御ユニット１２０Ａの内部回路とバス３００とのインターフェーシングを行う。このバスインターフェース部１２２を利用することにより、ドライブ制御ユニット１２０Ａと、オーディオプリアンプユニット１４０Ａ及び表示制御ユニット１７０Ａとの間で、バス３００を介した通信が可能となっている。
【００２６】
データ出力選択部１２３は、ドライブ制御部１２１Ａからの出力選択指令ＤＯＳに従って、ＤＶＤドライブユニット１１０からの読取データ信号ＲＤＤを、音声／映像分離部１２４Ａ又はドライブ制御部１２１Ａのいずれかへ向けて出力する。すなわち、読取データ信号ＲＤＤがコンテンツのデータ信号であることから、出力選択指令ＤＯＳにより音声／映像分離部１２４Ａへ向けて出力すべきことがドライブ制御部１２１Ａから指令された場合には、データ出力選択部１２３は、読取データ信号ＲＤＤをコンテンツデータ信号ＣＴＤとして、音声／映像分離部１２４Ａへ送る。一方、読取データ信号ＲＤＤがコンテンツのデータ信号ではないことから、出力選択指令ＤＯＳによりドライブ制御部１２１Ａへ向けて出力すべきことがドライブ制御部１２１Ａから指令された場合には、データ出力選択部１２３は、読取データ信号ＲＤＤを非コンテンツデータ信号ＥＣＤとして、ドライブ制御部１２１Ａへ送る。
【００２７】
音声／映像分離部１２４Ａは、ドライブ制御部１２１Ａからのデータ選択指令ＳＬＤに従って、データ出力選択部１２３からのコンテンツデータ信号ＣＴＤ、及び、後述する同期調整信号発生部１２５からの同期調整用データ信号ＳＪＤのいずれかを選択し、選択されたデータ信号に含まれる音声データ成分と映像データ成分とを分離する。こうして分離された音声データ成分が音声データ信号ＡＤＤとしてバスインターフェース部１２２へ向けて出力されるとともに、分離された映像データ成分が映像データ信号ＩＤＤとしてバスインターフェース部１２２へ向けて出力される。この結果、バス３００を介して、音声データ信号ＡＤＤがオーディオプリアンプユニット１４０Ａへ送られるとともに、映像データ信号ＩＤＤが表示制御ユニット１７０Ａへ送られる。
【００２８】
同期調整信号発生部１２５は、ドライブ制御部１２１Ａからの信号発生指令ＳＪＧに従って、予め定められた同期調整用データ信号ＳＪＤを発生して、音声／映像分離部１２４Ａへ向けて送る。ここで、同期調整用データ信号ＳＪＤは、テスト音声データ信号とテスト映像データ信号から構成されている。なお、同期調整信号発生部１２５は、テスト音声データ信号として、後述するＦＣチャンネルのデータ信号及びＲＣチャンネルのデータ信号のいずれかを発生するようになっている。かかるＦＣチャンネル及びＲＣチャンネルのいずれのチャンネルのデータ信号を発生するかは、操作入力ユニット１９０への利用者による操作入力に従って、ドライブ制御部１２１Ａが、信号発生指令ＳＪＧにおけるパラメータ値によって指定するようになっている。
【００２９】
ここで、視聴想定位置（後述する集音ユニット１３０のマイクロフォンの設置位置）における音声と映像との同期ズレの発生原因の要素になると考えられる、ドライブ制御ユニット１２０Ａにおける音声関連信号の主な遅延と、映像関連信号の主な遅延とについて考察すると、次の通りとなる。なお、音声／映像分離部１２４Ａが受けるコンテンツデータ信号ＣＴＤ及び同期調整用データ信号ＳＪＤの段階では、音声と映像とが完全に同期しているものとし、この段階における遅延を０であるとして、以下の説明を行う。
【００３０】
まず、音声関連信号の遅延について考察する。ドライブ制御ユニット１２０Ａでは、音声関連信号の遅延は、最初に、音声／映像分離部１２４Ａにおけるコンテンツデータ信号ＣＴＤから音声データ信号ＡＤＤの分離処理の際に発生する（遅延時間ＤＡ１1）。また、バスインターフェース部１２２における音声データ信号ＡＤＤのオーディオプリアンプユニット１４０Ａへの送信処理の際においても遅延が発生する（遅延時間ＤＡ１2）。
【００３１】
この結果、ドライブ制御ユニット１２０Ａにおける音声関連の遅延時間ＤＡ１は、遅延時間ＤＡ１1と遅延時間ＤＡ１2との和と評価できる。ここで、遅延時間ＤＡ１1と遅延時間ＤＡ１2とは、ドライブ制御ユニット１２０Ａの設計段階において推定可能であることから、ドライブ制御ユニット１２０Ａにおける音声関連信号の遅延時間ＤＡ１は、事前に推定可能なものとなっている。
【００３２】
次に、映像関連信号の遅延について考察する。ドライブ制御ユニット１２０Ａにおける映像関連信号の遅延は、上記の音声関連信号の遅延と同様に、音声／映像分離部１２４Ａにおけるコンテンツデータ信号ＣＴＤから映像データ信号ＩＤＤの分離処理の際（遅延時間ＤＩ１1）、及び、バスインターフェース部１２２における映像データ信号ＩＤＤの表示制御ユニット１７０Ａへの送信処理の際に遅延が発生する（遅延時間ＤＩ１2）。この結果、ドライブ制御ユニット１２０Ａにおける映像関連信号の遅延時間ＤＩ１は、遅延時間ＤＩ１1と遅延時間ＤI１2との和となると評価される。ここで、遅延時間ＤＩ１1と遅延時間ＤＩ１2とは、ドライブ制御ユニット１２０Ａの設計段階において推定可能であることから、ドライブ制御ユニット１２０Ａにおける映像関連信号の遅延時間ＤＩ１は、事前に推定可能なものとなっている。
【００３３】
図１に戻り、集音ユニット１３０は、（ｉ）周囲の音を収集して電気的なアナログ音声信号とするマイクロフォン、（ii）マイクロフォンから出力されたアナログ音声信号を増幅する増幅器、（iii）増幅されたアナログ音声信号をデジタル音声信号に変換するＡＤ変換器（Analog to Digital Converter）とを備えて構成されている。ここで、マイクロフォンは、音場空間ＡＳＰ（後述する図９参照）における所定位置（例えば、運転席に視聴者が着席した場合における視聴者の耳の位置と想定される位置の近傍）に配置されている。集音ユニット１３０による集音結果は、集音結果情報ＡＡＤとしてオーディオプリアンプユニット１４０Ａに報告される。
【００３４】
オーディオプリアンプユニット１４０Ａは、図３に示されるように、遅延制御手段の一部及びテスト音声検出手段の一部としてのオーディオ制御部１４１Ａと、バスインターフェース部１４２とを備えている。また、オーディオプリアンプユニット１４０Ａは、フロー制御バッファ１４３と、チャンネル処理部１４４とを備えている。さらに、オーディオプリアンプユニット１４０Ａは、アナログ変換部１４５と、音量調整部１４６とを備えている。
【００３５】
オーディオ制御部１４１Ａは、ドライブ制御ユニット１２０Ａ及び表示制御ユニット１７０Ａとの間で通信を行い、動作協調を図る。また、オーディオ制御部１４１Ａは、オーディオプリアンプユニット１４０Ａの他の構成要素１４２〜１４４，１４６を制御する。かかる制御には、フロー制御バッファ１４３を利用したデータフロー制御、チャンネル処理部１４４を利用したチャンネル信号調整制御及び音声遅延制御、並びに音量調整部１４６を利用した音量調整制御が含まれている。
【００３６】
データフロー制御に際して、オーディオ制御部１４１Ａは、データ読出クロックＤＲＣを生成する。そして、オーディオ制御部１４１Ａは、データ読出クロックＤＲＣをフロー制御バッファ１４３へ送る。
【００３７】
チャンネル信号調整制御には、周波数分離制御と音響特性調整制御が含まれる。このうちの周波数分離制御に際して、オーディオ制御部１４１Ａは、予め定められた周波数分離情報に従って、チャンネル分離制御指令ＣＳＣ及びチャンネル処理制御指令ＣＰＣを生成する。ここで、チャンネル処理制御指令ＣＰＣの生成に際しては、オーディオ制御部１４１Ａは、後述のようにして行われる音響特性調整制御も更に考慮するようになっている。
【００３８】
音響特性調整制御に際して、オーディオ制御部１４１Ａは、集音ユニット１３０による集音結果ＡＡＤに基づく雑音レベルの推定結果を参照する。かかる雑音レベルの推定に際して、オーディオ制御部１４１Ａは、スピーカユニット１６０1〜１６０7から出力される音には通常は含まれないか、含まれたとしてもパワーの小さな周波数帯域（例えば、１０Ｈｚ程度の可聴域外）の音の集音結果におけるパワーに基づいて、集音位置の騒音レベルを推定するようになっている。そして、集音位置における騒音レベルと、音場空間ＡＳＰ内の全般における騒音レベルとは相関があることから、集音位置の騒音レベルを推定することにより、音場空間ＡＳＰ内の全般における騒音レベルを推定する。なお、集音位置における騒音レベルと、音場空間ＡＳＰ内の全般における騒音レベルとの相関は、音場空間ＡＳＰを車内空間として有する車種によって異なるが、事前に実験、シミュレーション等によって求められており、オーディオ制御部１４１Ａに登録されている。
【００３９】
音声遅延制御に際して、オーディオ制御部１４１Ａは、３種類の音声遅延制御を行う。第１の音声遅延制御では、オーディオ制御部１４１Ａは、コンテンツ再生装置１００Ａにおける音声再生に関連する各部における処理による推定遅延時間、及び、後述する映像再生に関連する各部における処理による推定遅延時間に基づいて、スピーカユニット１６０1〜１６０7の各スピーカからの音声出力タイミングを同期させるとともに、当該音声出力タイミングと表示ユニット１８０Ａにおける映像表示タイミングとを同期させるべく、遅延制御指令ＤＬＣを生成して、後述する信号遅延部２３０へ送る。なお、コンテンツ再生装置１００Ａにおける音声再生及び映像再生に関連する各部における処理による推定遅延時間は設計段階において既知のものであることから、当該推定遅延時間に基づいて定められる初期音声遅延時間は、予め定められ、オーディオ制御部１４１Ａ内に登録されている。
【００４０】
第２の音声遅延制御では、オーディオ制御部１４１Ａは、オーディオ制御部１４１Ａ内部のテスト音源を用い、各スピーカから順次パルス状のテスト音声を出力させる。そして、集音ユニット１３０によるテスト音声の集音結果ＡＡＤに基づいて、各スピーカからの出力音声の集音位置における同期を図るべく、遅延制御指令ＤＬＣを生成して、信号遅延部２３０へ送る。
【００４１】
第３の音声遅延制御では、オーディオ制御部１４１Ａは、上述した同期調整信号発生部１２５が発生したテスト音声データ信号に基づく出力音声の集音ユニット１３０による集音結果ＡＡＤを検出する。この検出結果と、表示制御ユニット１７０Ａから報告された、同期調整信号発生部１２５が発生したテスト映像データ信号に基づく表示ユニット１８０Ａにおける表示タイミングの検出結果とに基づいて、オーディオ制御部１４１Ａは、リップシンクを図るべく、遅延制御指令ＤＬＣを生成して、信号遅延部２３０へ送る。なお、第３の音声遅延制御に際して信号遅延部２３０に対する遅延時間の設定のみではリップシンクを図れない場合には、オーディオ制御部１４１Ａは、リップシンクのために必要となる表示制御ユニット１７０Ａにおける付加遅延時間を算出して、表示制御ユニット１７０Ａへ送る。
【００４２】
音量調整制御に際して、オーディオ制御部１４１Ａは、操作入力ユニット１９０に入力され、ドライブ制御部１２１Ａからバス３００を介して報告された音量調整指令に従って、音量調整制御指令ＶＬＣを生成する。生成された音量調整制御指令ＶＬＣは、オーディオ制御部１４１Ａから、音量調整部１４６へ送られる。
【００４３】
バスインターフェース部１４２は、オーディオ制御部１４１Ａによる制御のもとで、オーディオプリアンプユニット１４０Ａの内部回路とバス３００とのインターフェーシングを行う。このバスインターフェース部１４２を利用することにより、オーディオプリアンプユニット１４０Ａと、ドライブ制御ユニット１２０Ａ及び表示制御ユニット１７０Ａとの間で、バス３００を介した通信が可能となっている。
【００４４】
フロー制御バッファ１４３は、ＦＩＦＯ（First-In First-Out）として構成されており、ドライブ制御ユニット１２０Ａから送られた音声データ信号ＡＤＤを、バス３００及びバスインターフェース部１４２を介して受け、順次格納する。そして、フロー制御バッファ１４３は、オーディオ制御部１４１Ａからのデータ読出クロックＤＲＣに従って、格納されたデータをデータ信号ＦＣＤとしてチャンネル処理部１４４へ向けて順次送られる。
【００４５】
チャンネル処理部１４４は、オーディオ制御部１４１Ａからのチャンネル処理制御指令ＣＰＣに従って、フロー制御バッファ１４３からのデータ信号ＦＣＤに基づいて、６．１ｃｈサラウンド方式における各チャンネルに対応するチャンネルデータ信号ＰＣＤ1〜ＰＣＤ7を生成し、アナログ変換部１４５へ送られる。このチャンネル処理部１４４は、図４に示されるように、個別チャンネル信号生成手段としてのチャンネル分離部２１０と、音響調整手段としてのチャンネル信号調整部２２０と、音声遅延手段としての信号遅延部２３０とを備えている。
【００４６】
チャンネル分離部２１０は、チャンネル処理指令ＣＰＣの一部であるチャンネル分離制御指令ＣＳＣに従って、データ信号ＦＣＤからＦＣ〜ＳＷチャンネル用のスピーカユニット１６０1〜１６０7に対応する分離チャンネルデータ信号ＳＣＤ1〜ＳＣＤ7を生成する。このチャンネル分離部２１０は、図５に示されるように、前段分離手段としての前段分離部２１１と、後段分離手段としての後段分離部２１２とを備えている。
【００４７】
前段分離部２１１は、データ信号ＦＣＤに含まれるチャンネル指定情報に従って、データ信号ＦＣＤを、上述したＦＣチャンネル、ＦＬチャンネル、ＦＲチャンネル、ＲＣチャンネル、ＲＬチャンネル、ＲＲチャンネル及びＳＷチャンネルに対応するデータ信号ＦＳＤ1〜ＦＳＤ7に分離する。こうして生成されたデータ信号ＦＳＤ1〜ＦＳＤ7は、後段分離部２１２へ送られる。
【００４８】
後段分離部２１２は、チャンネル分離制御指令ＣＳＣに従って、前段分離部２１１からのデータ信号ＦＳＤ1〜ＦＳＤ7を再構成して、分離チャンネルデータ信号ＳＣＤ1〜ＳＣＤ7を生成する。この後段分離部２１２は、図６に示されるように、フィルタセット２１５1〜２１５6と、ローパスフィルタ（ＬＰＦ）２１７7と、加算手段としての加算器２１８とを備えている。ここで、フィルタセット２１５k（ｋ＝１〜６）のそれぞれは、高周波成分抽出手段としてのハイパスフィルタ（ＨＰＦ）２１６kと、低周波成分抽出手段としてのＬＰＦ２１７kとを含んでいる。
【００４９】
ＨＰＦ２１６kのそれぞれは、ＮＨ1タップのＦＩＲ直線位相型フィルタとして構成され、所定周波数ｆ1よりも高い周波数成分に対応するデータ信号を選択的に通過させる。このＨＰＦ２１６kのタップ係数は、オーディオ制御部１４１Ａにより、チャンネル分離制御指令ＣＳＣの一部である高域分離制御指令ＣＳＨkとして指定される。ＨＰＦ２１６kから出力されたデータ信号は、分離チャンネルデータ信号ＳＣＤkとしてチャンネル信号調整部２２０へ送られる。
【００５０】
なお、所定周波数ｆ1は、ＳＷチャンネルの音としてのみスピーカユニット１６０7から出力させるべきサブウーハ音の予め定められた周波数帯域の上限周波数となるように定められる。
【００５１】
ＬＰＦ２１７j（ｊ＝１〜７）のそれぞれは、ＮＬ1タップのＦＩＲ直線位相型フィルタとして構成され、所定周波数ｆ1よりも低い周波数成分を選択的に通過させる。このＬＰＦ２１６jのタップ係数は、オーディオ制御部１４１Ａにより、チャンネル分離制御指令ＣＳＣの一部である低域分離制御指令ＣＳＬkとして指定される。ＬＰＦ２１７jから出力されたデータ信号は、加算器２１８へ送られる。
【００５２】
加算器２１８は、ＬＰＦ２１７j（ｊ＝１〜７）から出力されたデータ信号の和を算出する。この算出結果は、分離チャンネルデータ信号ＳＣＤ7としてチャンネル信号調整部２２０へ送られる。
【００５３】
図４に戻り、チャンネル信号調整部２２０は、チャンネル処理指令ＣＰＣの一部であるチャンネル信号調整指令ＡＣＣに従って、チャンネル分離部２１０からの分離チャンネルデータ信号ＳＣＤ1〜ＳＣＤ7から調整チャンネルデータ信号ＡＣＤ1〜ＡＣＤ7を生成する。このチャンネル信号調整部２２０は、図７に示されるように、個別音響特性調整手段としてのフィルタセット２２１1〜２２１6を備えている。ここで、フィルタセット２２１k（ｋ＝１〜６）のそれぞれは、ハイパスフィルタ（ＨＰＦ）２２２kと、ＬＰＦ２２３kとを含んでいる。
【００５４】
ＨＰＦ２２２kのそれぞれは、ＮＨ2タップのＦＩＲ直線位相型フィルタとして構成され、所定周波数ｆ2（＞ｆ1）よりも高い周波数成分に対応するデータ信号を選択するとともに、そのデータ信号に関する音響調整を行う。このＨＰＦ２２２kのタップ係数は、オーディオ制御部１４１Ａにより、チャンネル信号調整指令ＡＣＣの一部である高域調整制御指令ＡＣＨkとして指定される。ＨＰＦ２２２kから出力された高域調整チャンネルデータ信号ＡＣＤＨkは、調整チャンネルデータ信号ＡＣＤkの一部して信号遅延部２３０へ送られる。
【００５５】
なお、所定周波数ｆ2は、後述するスピーカユニット１６０kにおける高音域スピーカ１６０Ｈkと低音域スピーカ１６０Ｌkとの出力音声周波数の棲み分けに従って、予め定められる。
【００５６】
ＬＰＦ２２３kのそれぞれは、ＮＬ2タップのＦＩＲ直線位相型フィルタとして構成され、所定周波数ｆ2よりも低い周波数成分を選択的に通過させる。このＬＰＦ２２３kのタップ係数は、オーディオ制御部１４１Ａにより、チャンネル信号調整指令ＡＣＣの一部である低域分離制御指令ＡＣＬkとして指定される。ＬＰＦ２２３kから出力された低域調整チャンネルデータ信号ＡＣＤＬkは、調整チャンネルデータ信号ＡＣＤkの一部として信号遅延部２３０へ送られる。
【００５７】
なお、分離チャンネルデータ信号ＳＣＤ7は、チャンネル信号調整部２２０においては何等の調整処理が施されずに、そのまま調整チャンネルデータ信号ＡＣＤ7のとして信号遅延部２３０へ送られる。
【００５８】
図４に戻り、信号遅延部２３０は、オーディオ制御部１４１Ａからの遅延制御指令ＤＬＣに従って、調整チャンネルデータ信号ＡＣＤj（ｊ＝１〜７）のそれぞれを遅延させて、チャンネルデータ信号ＰＣＤjを生成する。ここで、調整チャンネルデータ信号ＡＣＤk（ｋ＝１〜６）は、高域調整チャンネルデータ信号ＡＣＤＨkと低域調整チャンネルデータ信号ＡＣＤＬkとから構成されているが、これらの信号ＡＣＤＨk，ＡＣＤＬkについても、信号遅延部２３０は、個別に遅延を付与する。
【００５９】
この信号遅延部２３０は、図８に示されるように、個別音声遅延手段としての遅延器セット２３１1〜２３１6と遅延器２３３7とを備えている。ここで、遅延器セット２３１k（ｋ＝１〜６）のそれぞれは、遅延器２３２kと遅延器２３３kとを備えている。
【００６０】
遅延器２３２kは、遅延制御指令ＤＬＣの一部である高域遅延指定ＤＣＨkで指定された遅延時間ＤＨkだけ高域調整チャンネルデータ信号ＡＣＤＨkを遅延させる。遅延器２３２kによる遅延結果である高域チャンネルデータ信号ＰＣＤＨkは、チャンネルデータ信号ＰＣＤkの一部としてアナログ変換部１４５へ送られる。
【００６１】
遅延器２３３kは、遅延制御指令ＤＬＣの一部である低域遅延指定ＤＣＬkで指定された遅延時間ＤＬkだけ低域調整チャンネルデータ信号ＡＣＤＬkを遅延させる。遅延器２３３kによる遅延結果である低域チャンネルデータ信号ＰＣＤＬkは、チャンネルデータ信号ＰＣＤkの一部としてアナログ変換部１４５へ送られる。
【００６２】
遅延器２３３7は、遅延制御指令ＤＬＣの一部であるサブウーハ域遅延指定ＤＣＬ7で指定された遅延時間ＤＬ7だけ調整チャンネルデータ信号ＡＣＤ7を遅延させる。遅延器２３３7による遅延結果であるチャンネルデータ信号ＰＣＤ7は、アナログ変換部１４５へ送られる。
【００６３】
図３に戻り、アナログ変換部１４５は、チャンネル信号処理部１４４からのチャンネルデータ信号ＰＣＤ1〜ＰＣＤ7に含まれる１３種のデジタルデータ信号を、それぞれアナログ信号に変換する。このアナログ変換部１４５は、当該１３種のデジタルデータ信号に対応して、互いに同様に構成された１３個のＤＡ（Digital to Analogue）変換器を備えている。
【００６４】
アナログ変換部１４５によるアナログ変換結果であるアナログ信号ＰＢＳ1〜ＰＢＳ7は、音量調整部１４６へ送られる。なお、アナログ信号ＰＢＳk（ｋ＝１〜６）のそれぞれには、高域チャンネルデータ信号ＰＣＤＨkのアナロク変換信号及び低域チャンネルデータ信号ＰＣＤＬkのアナロク変換信号の２種のアナロク信号が含まれている。
【００６５】
音量調整部１４６は、オーディオ制御部１４１Ａからの音量調整制御指令ＶＬＣに従って、アナログ変換部１４５からのアナログ信号ＰＢＳ1〜ＰＢＳ7に含まれる１３種のアナログ信号のレベルのそれぞれを、互いに同様に構成された増幅器により調整する。この調整の結果は、プリアンプ出力信号ＰＡＳ1〜ＰＡＳ7としてオーディオメインアンプユニット１５０へ送られる。
【００６６】
ここで、視聴想定位置における音声と映像との同期ズレの発生原因に要素になると考えられる、オーディオプリアンプユニット１４０Ａにおける音声関連信号の主な遅延を、信号遅延部２３０以外について考察すると、次の通りとなる。
【００６７】
オーディオプリアンプユニット１４０Ａでは、バスインターフェース部１４２における音声データ信号ＡＤＤのオーディオプリアンプユニット１４０Ａ内部への出力処理の際に遅延が発生する（遅延時間ＤＡ２1）。引き続き、フロー制御バッファ１４３への音声データＡＤＤの入力から、データ読出クロックＤＲＣによるデータ読み出しまでの遅延（平均遅延時間ＤＡ２2）が発生する。
【００６８】
次に、前段分離部２１１におけるデータ信号ＦＣＤからデータ信号ＦＳＤ1〜ＦＳＤ7への分離処理に際して遅延（遅延時間ＤＡ２3）が発生する。引き続き、後段分離部２１２におけるデータ信号ＦＳＤ1〜ＦＳＤ7基づく分離チャンネルデータ信号ＳＣＤ1〜ＳＣＤ7の生成処理に際して遅延が発生する。
【００６９】
ここで、分離チャンネルデータ信号ＳＣＤk（ｋ＝１〜６）のそれぞれの生成に際しては、ＮＨ1タップの直線位相型のＦＩＲフィルタである２１６kによる遅延（遅延時間ＤＡ２4H（＝ＮＨ1／（２ｆS）；ｆSは、音声データ信号におけるサンプリング周波数））が発生する。一方、分離チャンネルデータ信号ＳＣＤ7の生成に際しては、ＮＬ1タップの直線位相型のＦＩＡフィルタである２１７kによる遅延（遅延時間ＤＡ２4L（＝ＮＬ1／（２ｆS））、及び、加算器２１８における加算処理による遅延（遅延時間ＤＡ２4A）が発生する。
【００７０】
次いで、チャンネル信号処理部２２０における分離チャンネルデータ信号ＳＣＤ1〜ＳＣＤ7に基づく調整チャンネルデータ信号ＡＣＤ1〜ＡＣＤ7の生成処理に際して遅延が発生する。ここで、高域調整チャンネルデータ信号ＡＣＤＨkのそれぞれの生成に際しては、ＮＨ2タップの直線位相型のＦＩＲフィルタである２２２kによる遅延（遅延時間ＤＡ２5H（＝ＮＨ2／（２ｆS））が発生する。一方、低域調整チャンネルデータ信号ＡＣＤＬkのそれぞれの生成に際しては、ＮＬ2タップの直線位相型のＦＩＡフィルタである２２３kによる遅延（遅延時間ＤＡ２5L（＝ＮＬ2／（２ｆS））が発生する。
【００７１】
信号遅延部２３０を介した後は、アナログ変換部１４５におけるアナログ変換処理に際して、チャンネルデータ信号ＰＣＤ1〜ＰＣＤ7における１３種の信号に共通した遅延（遅延時間ＤＡ２6）が発生する。引き続き、音量調整部１４６における音量調整処理に際して、プリアンプ出力信号ＰＡＳ1〜ＰＡＳ7における１３種の信号にほぼ共通した遅延（遅延時間ＤＡ２7）が発生する。
【００７２】
以上より、オーディオプリアンプユニット１４０Ａにおいては、プリアンプ出力信号ＰＡＳＨk（ｋ＝１〜６）の生成に際して、次の（１）で表される遅延時間ＤＡ２Ｈkの遅延が発生すると評価される。
DA2Hk＝(DA21＋DA22＋DA23＋DA24H＋DA25H＋DA26＋DA27)＋DHk＝DA2H＋DHk  …（１）
【００７３】
また、オーディオプリアンプユニット１４０Ａにおいては、プリアンプ出力信号ＰＡＳＬk（ｋ＝１〜６）の生成に際して、次の（２）で表される遅延時間ＤＡ２Ｌkの遅延が発生すると評価される。
DA2Lk＝(DA21＋DA22＋DA23＋DA24L＋DA25L＋DA26＋DA27)＋DLk＝DA2L＋DLk  …（２）
【００７４】
また、オーディオプリアンプユニット１４０Ａにおいては、プリアンプ出力信号ＰＡＳＬ7の生成に際して、次の（３）で表される遅延時間ＤＡ２Ｌ7の遅延が発生すると評価される。
DA2L7＝(DA21＋DA22＋DA23＋DA24L＋DA24A＋DA26＋DA27)＋DL7＝DA2SW＋DL7  …（３）
【００７５】
図１に戻り、オーディオメインアンプユニット１５０は、オーディオプリアンプユニット１４０Ａからのプリアンプ出力信号ＰＡＳ1〜ＰＡＳ7における１３種のアナログ信号をそれぞれ増幅し、出力音声信号ＡＯＳ1〜ＡＯＳ7を生成する。ここで、出力音声信号ＡＯＳk（ｋ＝１〜６）のそれぞれには、高域出力音声信号ＡＯＳＨk及び低域出力音声信号ＡＯＳＬkの２種のアナログ信号が含まれている（図１０参照）。このオーディオメインアンプユニット１５０は、プリアンプ出力信号ＰＡＳ1〜ＰＡＳ7における１３種のアナログ信号のそれぞれに対応して配設され、互いに同様に構成された増幅器を備えて構成されている。オーディオメインアンプユニット１５０においては、出力音声信号ＡＯＳ1〜ＡＯＳ7における１３種のアナログ信号にほぼ共通した遅延（遅延時間ＤＡ３）が発生すると評価される。
【００７６】
スピーカユニット１６０1〜１６０7は、オーディオメインアンプユニット１５０からの出力音声信号ＡＯＳ1〜ＡＯＳ7に従って、音声を音場空間ＡＳＰへ向けて出力する。ここで、スピーカユニット１６０k（ｋ＝１〜６）のそれぞれは、図１０に示されるように、高域スピーカ１６０Ｈk及び低域スピーカ１６０Ｌkを含んでいる。ここで、高域スピーカ１６０Ｈkは、互いに同様に構成されている。また、低域スピーカ１６０Ｌkは、互いに同様に構成されている。そして、高域スピーカ１６０Ｈkは、高域出力音声信号ＡＯＳＨkに従って音声出力を行う。また、低域スピーカ１６０Ｌkは、低域出力音声信号ＡＯＳＬkに従って音声出力を行う。
【００７７】
また、スピーカユニット１６０7は、図１１に示されるように、サブウーハ音声用の低域スピーカ１６０Ｌ7を含んでいる。そして、低域スピーカ１６０Ｌ7は、低域出力音声信号ＡＯＳＬ7に従って音声出力を行う。
【００７８】
スピーカユニット１６０1〜１６０7においては、高域スピーカ１６０Ｈkのそれぞれからの音声出力に際して遅延時間ＤＡ４Hの遅延が発生し、低域スピーカ１６０Ｌkからの音声出力に際して遅延時間ＤＡ４Lの遅延が発生する。また、低域スピーカ１６０Ｌ7からの音声出力に際して遅延時間ＤＡ４7の遅延が発生すると評価される。
【００７９】
以上のドライブ制御ユニット１２０Ａ、オーディオプリアンプユニット１４０Ａ、オーディオメインアンプユニット１５０及びスピーカユニット１６０1〜１６０7における音声信号関連信号の遅延をまとめると、次の通りとなる。
【００８０】
高域スピーカ１６０Ｈk（ｋ＝１〜６）からの音声出力については、音声／映像分離部１２４Ａが受けるコンテンツデータ信号ＣＴＤ及び同期調整用データ信号ＳＪＤの段階から、次の（４）式で表される遅延時間ＤＡＴHの遅延が発生する。
DATH＝DA1＋DA2H＋DHk＋DA3＋DA4H            …（４）
【００８１】
また、低域スピーカ１６０Ｌkからの音声出力については、音声／映像分離部１２４Ａが受けるコンテンツデータ信号ＣＴＤ及び同期調整用データ信号ＳＪＤの段階から、次の（５）式で表される遅延時間ＤＡＴLの遅延が発生する。
DATL＝DA1＋DA2L＋DLk＋DA3＋DA4L            …（５）
【００８２】
また、低域スピーカ１６０Ｌ7からの音声出力については、音声／映像分離部１２４Ａが受けるコンテンツデータ信号ＣＴＤ及び同期調整用データ信号ＳＪＤの段階から、次の（６）式で表される遅延時間ＤＡＴ7の遅延が発生する。
DAT7＝DA1＋DA2SW＋DLk＋DA3＋DA47            …（６）
【００８３】
図１の表示制御ユニット１７０Ａは、図１２に示されるように、遅延制御手段の一部としての表示制御部１７１Ａと、バスインターフェース部１７２とを備えている。また、表示制御ユニット１７０は、映像遅延手段としての映像遅延部１７３と、デコード部１７４とを備えている。
【００８４】
表示制御部１７１Ａは、ドライブ制御ユニット１２０Ａ及びオーディオプリアンプユニット１４０Ａとの間で通信を行い、動作協調を図る。また、表示制御部１７１Ａは、表示制御ユニット１７０Ａの他の構成要素１７２〜１７４を制御する。かかる制御には、映像遅延部１７３を利用した映像遅延制御、デコード部１７４を利用したデコード制御、及び表示デバイス制御が含まれている。
【００８５】
映像遅延制御に際して、表示制御部１７１Ａは、２種類の遅延制御を行う。第１の映像遅延制御では、表示制御部１７１Ａは、コンテンツ再生装置１００Ａにおける映像再生に関連する各部における処理による推定遅延時間、及び、上述した音声再生に関する各部における処理による推定遅延時間に基づいて、スピーカユニット１６０1〜１６０7の各スピーカからの音声出力タイミングと表示ユニット１８０Ａにおける映像表示タイミングとを同期させるべく、遅延制御指令ＤＲＣを生成して、映像遅延部１７３へ送る。なお、上述したように、コンテンツ再生装置１００Ａにおける音声再生及び映像再生に関連する各部における処理による推定遅延時間は設計段階において既知のものであることから、当該推定遅延時間に基づいて定められる初期映像遅延時間は、予め定められ、表示制御部１７１Ａ内に登録されている。
【００８６】
第２の映像遅延制御では、表示制御部１７１Ａは、オーディオプリアンプユニット１４０Ａから受信した付加遅延時間を初期映像遅延時間に加算した補正映像遅延時間を算出する。そして、表示制御部１７１Ａは、補正映像遅延時間の設定指令を、遅延制御指令ＤＲＣとして映像遅延部１７３へ送る。
【００８７】
表示デバイス制御では、表示制御部１７１Ａは、表示ユニット１８０Ａにおける表示デバイスが例えば液晶ディスプレイの場合には、例えばバックライトの点灯又は滅灯を制御するための表示デバイス制御指令ＤＰＣを生成する。生成された表示デバイス制御指令ＤＰＣは、表示ユニット１８０Ａへ送られる。
【００８８】
また、表示制御部１７１Ａは、表示ユニット１８０Ａから上述したテスト映像データ信号を検出した旨をテスト映像データ検出結果ＳＤＤとして受けると、直ちにその旨をオーディオプリアンプユニット１４０Ａへ報告する。
【００８９】
バスインターフェース部１７２は、表示制御部１７１Ａによる制御のもとで、表示制御ユニット１７０Ａの内部回路とバス３００とのインターフェーシングを行う。このバスインターフェース部１７２を利用することにより、表示制御ユニット１７０Ａと、ドライブ制御ユニット１２０Ａ及びオーディオプリアンプユニット１４０Ａとの間で、バス３００を介した通信が可能となっている。
【００９０】
映像遅延部１７３は、ドライブ制御ユニット１２０Ａから送られた映像データ信号ＩＤＤを、バス３００及びバスインターフェース部１７２を介して受け、表示制御部１７１Ａからの遅延制御指令ＤＲＣに従って遅延をさせる（遅延時間ＤＭ）。この遅延結果は、遅延映像信号Ｄ１Ｄとして、デコード部１７４へ送られる。
【００９１】
デコード部１７４は、デコード制御指令ＤＣＣによる表示制御部１７１Ａの制御のもとで、ＭＰＥＧコード化されている遅延映像信号ＤＩＤをデコードして、出力映像データ信号ＤＭＤを生成する。生成された出力映像データ信号ＤＭＤは、表示ユニット１８０Ａへ送られる。
【００９２】
ここで、視聴想定位置における音声と映像との同期ズレの発生原因に要素になると考えられる、表示制御ユニット１７０Ａにおける映像関連信号の主な遅延を、映像遅延部１７３以外について考察すると、次の通りとなる。
【００９３】
表示制御ユニット１７０Ａでは、バスインターフェース部１７２における映像データ信号ＩＤＤのオーディオプリアンプユニット１４０Ａ内部への出力処理の際に遅延（遅延時間ＤＩ２1）が発生する。そして、映像遅延部１７３を介した後には、デコード部１７４におけるデコード処理の際に遅延（遅延時間ＤＩ２2）が発生する。
【００９４】
したがって、表示制御ユニット１７０Ａでは、映像関連信号について、次の（７）式で表される遅延時間ＤＩ２Ｔの遅延が発生すると評価される。
DI2T＝(DI21＋DI22)＋DM＝DI2＋DM                              …（７）
【００９５】
図１の表示ユニット１８０Ａは、図１３に示されるように、アナログ変換部１８１と、表示デバイス１８２とを備えている。さらに、表示ユニット１８０Ａは、テスト映像検出手段としてのテスト映像データ信号検出部１８３を備えている。
【００９６】
アナログ変換部１８１は、表示制御ユニット１７０Ａからの出力映像データ信号ＤＭＤを出力映像アナログ信号ＭＯＳに変換する。このアナログ変換部１８１は、同様に構成された必要な数のＤＡ変換器を備えて構成される。出力映像アナログ信号ＭＯＳは、表示デバイスへ送られる。
【００９７】
表示デバイス１８２は、アナログ変換部１８１からの出力映像アナログ信号ＭＯＳに従って、映像表示を行う。この表示デバイス１８２は、液晶表示パネル等から構成されている。
【００９８】
テスト映像データ信号検出部１８３は、出力映像アナログ信号ＭＯＳにおけるテスト映像データ信号に由来する信号を検出する。テスト映像データ信号検出部１８３は、検出結果を、テスト映像データ検出結果ＳＤＤとして表示制御ユニット１７０Ａへ送る。
【００９９】
ここで、視聴想定位置における音声と映像との同期ズレの発生原因に要素になると考えられる、表示ユニット１８０Ａにおける映像関連信号の主な遅延を考察すると、次の通りとなる。
【０１００】
表示ユニット１８０Ａでは、まず、アナログ変換部１８１におけるアナログ変換処理に際して、遅延（遅延時間ＤＡ３1）が発生する。引き続き、表示デバイス１８２における
映像表示に際して遅延（遅延時間ＤＡ３2）の遅延が発生する。
【０１０１】
したがって、表示制御ユニット１７０Ａでは、映像関連信号について、次の（８）式で表される遅延時間ＤＩ３の遅延が発生すると評価される。
DI3＝(DI31＋DI32)                                        …（８）
【０１０２】
以上のドライブ制御ユニット１２０Ａ、表示制御ユニット１７０Ａ及び表示ユニット１８０Ａにおける映像信号関連信号の遅延をまとめると、表示デバイス１８２における表示出力については、音声／映像分離部１２４Ａが受けるコンテンツデータ信号ＣＴＤ及び同期調整用データ信号ＳＪＤの段階から、次の（９）式で表される遅延時間ＤＭＴの遅延が発生する。
DMT＝DI1＋DI2＋DM＋DI3                              …（９）
【０１０３】
なお、オーディオプリアンプユニット１４０Ａのオーディオ制御部１４１Ａに登録される遅延時間（ＤＨk，ＤＬk,ＤＬ7）の初期値である上述した初期音声遅延時間（ＦＤＨk，ＦＤＬk,ＦＤＬ7）、及び、表示制御ユニット１７０Ａの表示制御部１７１Ａに登録される遅延時間ＤＭの初期値である上述した初期映像遅延時間ＦＤＭは、次の（１０）式を満たすように、予め定められる。
DATH＝DATL＝DAT7＝DMT                              …（１０）
【０１０４】
図１の操作入力ユニット１９０は、コンテンツ再生装置１００Ａの本体部に設けられたキー部、あるいはキー部を備えるリモート入力装置等により構成される。ここで、本体部に設けられたキー部としては、表示ユニット１８０Ａの表示デバイス１８２に設けられたタッチパネルを用いることができる。なお、キー部を有する構成に代えて、音声入力する構成を採用することもできる。
【０１０５】
この操作入力ユニット１９０を利用者が操作することにより、コンテンツ再生装置１００Ａの動作内容の設定が行われる。例えば、再生コンテンツの設定、コンテンツの検索設定等を、利用者が操作入力ユニット１９０を利用して行う。こうした入力内容は、操作入力ユニット１９０からドライブ制御ユニット１２０Ａのドライブ制御部１２１Ａへ送られる。
【０１０６】
＜動作＞
次に、上記のように構成されたコンテンツ再生装置１００Ａの動作について、主に、オーディオ制御部１４１Ａによる信号遅延部２３０に対する遅延時間（ＤＨk（ｋ＝１〜６），ＤＬk,ＤＬ7）の設定処理、及び、表示制御部１７１Ａによる遅延時間ＤＭの設定処理に主に着目して説明する。
【０１０７】
コンテンツ再生装置１００Ａの電源が投入される等して、コンテンツ再生装置１００Ａが動作を開始すると、初期化処理が行われる。かかる初期化処理においては、後述する補正音声遅延時間（ＣＤＨk，ＣＤＬk,ＣＤＬ7）が登録されていない場合には、上述した第１の音声遅延制御が行われる。すなわち、オーディオ制御部１４１Ａが、信号遅延部２３０に対して、遅延時間（ＤＨk，ＤＬk,ＤＬ7）として初期音声遅延時間（ＦＤＨk，ＦＤＬk,ＦＤＬ7）を設定する遅延制御指令ＤＬＣを発行する。
【０１０８】
また、後述する補正映像遅延時間ＣＤＭが登録されていない場合には、上述した第１の映像遅延制御が行われる。すなわち、表示制御部１７１Ａが、映像遅延部１７３に対して、遅延時間ＤＭとして初期映像遅延時間ＦＤＭを設定する遅延制御指令ＤＲＣを発行する。
【０１０９】
初期音声遅延時間（ＦＤＨk，ＦＤＬk,ＦＤＬ7）の設定が行われると、信号遅延部２３０における遅延器２３２kにおいて、高域調整チャンネルデータ信号ＡＣＤＨkに対して初期音声遅延時間ＦＤＨkの遅延が付与され、高域チャンネルデータ信号ＰＣＤＨkが生成されるようになる。また、信号遅延部２３０における遅延器２３３j（ｊ＝１〜７）において、低域調整チャンネルデータ信号ＡＣＤＬjに対して初期音声遅延時間ＦＤＬjの遅延が付与され、低域チャンネルデータ信号ＰＣＤＬkが生成されるようになる。
【０１１０】
一方、初期映像遅延時間ＦＤＭの設定が行われると、映像遅延部１７３において、映像データ信号ＩＤＤに対して初期映像遅延時間ＦＤＭの遅延が付与され、遅延映像信号ＤＩＤが生成されるようになる。
【０１１１】
この結果、音声コンテンツ及び映像コンテンツを含むコンテンツをＤＶＤから読み取って再生を行った場合において、スピーカユニット１６０1〜１６０7からの音声コンテンツの再生音声の出力タイミングと、表示ユニット１８０Ａにおける映像コンテンツの再生映像の表示タイミングとが同期するようになる。
【０１１２】
上記のような初期化処理の後、スピーカユニット１６０1〜１６０7における１３種のスピーカ１６０Ｈ1〜１６１Ｈ6，１６０Ｌ1〜１６１Ｌ7から出力された音声の想定視聴位置における到達タイミングの同期制御実行指令が、利用者により操作入力ユニット１９０に入力されると、その旨がドライブ制御部１２１Ａに報告される。この報告を受けたドライブ制御部１２１Ａは、バス３００を介して、音声同期指令をオーディオ制御部１４１Ａへ送る。
【０１１３】
音声同期指令を受けたオーディオ制御部１４１Ａは、上述した第２の音声遅延制御を行う。この第２の音声遅延制御では、まず、オーディオ制御部１４１Ａ内部のテスト音源を用い、各スピーカから順次パルス状のテスト音声を出力させる。このテスト音声は、想定視聴位置に配置されたマイクロフォンを有する集音ユニット１３０により集音され、その結果が集音結果ＡＡＤとしてオーディオ制御部１４１Ａに報告される。
【０１１４】
集音結果ＡＡＤを受けたオーディオ制御部１４１Ａは、集音結果ＡＡＤを解析して、各スピーカからの出力音声が想定視聴位置に到達するまでの時間の相違を求める。引き続き、求められた時間の相違に基づいて、オーディオ制御部１４１Ａは、信号遅延部２３０で現在設定されている遅延時間の補正値である補正音声遅延時間を算出する。そして、オーディオ制御部１４１Ａは、算出された補正音声遅延時間を補正音声遅延時間（ＣＤＨk，ＣＤＬk,ＣＤＬ7）を内部に登録するとともに、遅延時間（ＤＨk，ＤＬk,ＤＬ7）として設定する遅延制御指令ＤＬＣを発行する。
【０１１５】
この結果、音声コンテンツ及び映像コンテンツを含むコンテンツをＤＶＤから読み取って再生を行った場合において、スピーカユニット１６０1〜１６０7からの音声コンテンツの再生音声の想定視聴位置への到達タイミングの同期が図られるようになる。
【０１１６】
この後、再生音声と再生映像との同期制御実行指令が利用者により操作入力ユニット１９０に入力されると、その旨がドライブ制御部１２１Ａに報告される。この報告を受けたドライブ制御部１２１Ａは、バス３００を介して、リップシンク指令をオーディオ制御部１４１Ａ及び表示制御部１７１Ａへ送る。また、ドライブ制御部１２１Ａは、同期調整信号発生部１２５に対して信号発生指令ＳＪＧを発行するとともに、信号発生指令ＳＪＧを選択して処理すべきことを音声／映像分離部１２４Ａにデータ選択指令ＳＬＤにより通知する。
【０１１７】
信号発生指令ＳＪＧを受けた同期調整信号発生部１２５は、同期調整用データ信号ＳＪＤを発生し、音声／映像分離部１２４Ａへ向けて送る。音声／映像分離部１２４Ａは、同期調整用データ信号ＳＪＤをテスト音声データ信号とテスト映像データ信号とに分離し、テスト音声データ信号を音声データ信号ＡＤＤとしてバスインターフェース部１２２へ送るとともに、テスト映像データ信号を映像データ信号ＩＤＤとしてバスインターフェース部１２２へ送る。そして、バスインターフェース部１２２からは、ドライブ制御部１２１Ａによる制御のもとで、音声データ信号ＡＤＤがバス３００を介してオーディオプリアンプユニット１４０Ａへ送られるとともに、映像データ信号ＩＤＤがバス３００を介して表示制御ユニット１７０Ａへ送られる
【０１１８】
リップシンク指令を受けたオーディオ制御部１４１Ａは、上述した第３の音声遅延制御を行う。この第３の音声遅延制御では、テスト音声データ信号である音声データ信号ＡＤＤに基づく音声をスピーカユニット１６０1又はスピーカユニット１６０4から音声を出力させる。この音声は、想定視聴位置に配置されたマイクロフォンを有する集音ユニット１３０により集音され、その結果が集音結果ＡＡＤとしてオーディオ制御部１４１Ａに報告される。
【０１１９】
集音結果ＡＡＤを受けたオーディオ制御部１４１Ａは、集音結果ＡＡＤを解析して、テスト音声データ信号に基づく出力音声が想定視聴位置に到達したタイミングを求める。一方、表示ユニット１８０Ａのテスト映像データ信号検出部１８３は、出力映像アナログ信号ＭＯＳにおけるテスト映像データ信号に由来する信号を検出する。テスト映像データ信号検出部１８３は、検出結果を、テスト映像データ検出結果ＳＤＤとして表示制御ユニット１７０Ａへ送る。
【０１２０】
テスト映像データ検出結果ＳＤＤを受けたオーディオ制御部１４１Ａは、上述したようにして求めたテスト音声データ信号に基づく出力音声が想定視聴位置に到達したタイミングと、テスト映像データ信号検出部１８３によるテスト映像データ信号に由来する信号の検出タイミングとの差を求める。引き続き、求められたタイミング差に基づいて、オーディオ制御部１４１Ａは、現在信号遅延部２３０で設定されている遅延時間の補正値である補正音声遅延時間（ＣＤＨk，ＣＤＬk,ＣＤＬ7）を新たに算出する。そして、オーディオ制御部１４１Ａは、新たに算出された補正音声遅延時間を補正音声遅延時間（ＣＤＨk，ＣＤＬk,ＣＤＬ7）として内部に登録するとともに、遅延時間（ＤＨk，ＤＬk,ＤＬ7）として設定する遅延制御指令ＤＬＣを発行する。
【０１２１】
なお、第２又は第３の映像遅延制御の処理の実行により補正音声遅延時間（ＣＤＨk，ＣＤＬk,ＣＤＬ7）が登録された場合には、上述した初期化処理においては、補正音声遅延時間（ＣＤＨk，ＣＤＬk,ＣＤＬ7）が信号遅延部２３０に設定されるようになっている。
【０１２２】
第３の音声遅延制御に際して信号遅延部２３０に対する遅延時間の設定のみではリップシンクを図れない場合には、オーディオ制御部１４１Ａは、リップシンクのために必要となる表示制御ユニット１７０Ａにおける付加遅延時間を算出して、表示制御部１７１Ａへバス３００を介して送る。この付加遅延時間を受けた表示制御部１７１Ａは、上述した第２の映像遅延制御を行う。この第２の映像遅延制御では、表示制御部１７１Ａは、映像遅延部１７３で現在設定されている遅延時間に付加遅延時間を加算又は減算したものを新たな補正映像遅延時間として算出する。そして、表示制御部１７１Ａは、算出された新たな補正映像遅延時間を補正映像遅延時間ＣＤＭとして内部に登録するとともに、遅延時間ＤＭを設定する遅延制御指令ＤＲＣを発行する。
【０１２３】
この結果、音声コンテンツ及び映像コンテンツを含むコンテンツをＤＶＤから読み取って再生を行った場合において、スピーカユニット１６０1〜１６０7からの音声コンテンツの再生音声の想定視聴位置への到達タイミングと、映像コンテンツの再生映像の表示タイミングとの同期が図られるようになる。
【０１２４】
なお、第２の映像遅延制御の処理の実行により補正映像遅延時間ＣＤＭが登録された場合には、上述した初期化処理においては、補正映像遅延時間ＣＤＭが映像遅延部１７３に設定されるようになっている。
【０１２５】
以上のようなリップシンクが実現される状態で、ＤＶＤに記録されたコンテンツの再生指令が利用者により操作入力ユニットに入力されると、その旨がドライブ制御部１２１Ａに報告される。この報告を受けたドライブ制御部１２１Ａは、バス３００を介して、コンテンツ再生指令をオーディオ制御部１４１Ａ及び表示制御部１７１Ａへ送る。また、ドライブ制御部１２１Ａは、ＤＶＤドライブユニット１１０からの読取データ信号ＲＤＤを音声／映像分離部１２４Ａへ向けて出力すべきことをデータ出力選択部１２３に出力選択指令ＤＯＳにより通知するとともに、コンテンツデータ信号ＤＴＤを選択して処理すべきことを音声／映像分離部１２４Ａにデータ選択指令ＳＬＤにより通知する。
【０１２６】
引き続き、ドライブ制御部１２１Ａは、ＤＶＤドライブユニット１１０を制御して、ＤＶＤからコンテンツデータを読み取る。こうして読み取られたコンテンツデータは、データ出力選択部１２３から出力されるコンテンツデータ信号ＣＴＤとして、音声／映像分離部１２４Ａへ送られる。
【０１２７】
コンテンツデータ信号ＣＴＤを受けた音声／映像分離部１２４Ａは、コンテンツデータ信号ＣＴＤを音声コンテンツデータ信号と映像コンテンツデータ信号とに分離し、音声コンテンツデータ信号を音声データ信号ＡＤＤとしてバスインターフェース部１２２へ送るとともに、映像コンテンツデータ信号を映像データ信号ＩＤＤとしてバスインターフェース部１２２へ送る。そして、バスインターフェース部１２２からは、ドライブ制御部１２１Ａによる制御のもとで、音声データ信号ＡＤＤがバス３００を介してオーディオプリアンプユニット１４０Ａへ送られるとともに、映像データ信号ＩＤＤがバス３００を介して表示制御ユニット１７０Ａへ送られる
【０１２８】
音声コンテンツデータ信号である音声データ信号ＡＤＤを受けたオーディオプリアンプユニット１４０Ａでは、オーディオ制御部１４１Ａによる制御のもとで、上述したフロー制御処理、前段チャンネル分離処理、後段チャンネル分離処理、周波数分離処理、集音ユニット１３０における集音結果に含まれる雑音レベルに基づく音響特性調整処理、音声遅延処理、アナログ変換処理及び音量調整処理が施される。ここで、後段チャンネル分離処理、周波数分離処理及び音響特性調整処理に際してはＦＩＲ直線位相型フィルタが用いられるので、ＩＩＲフィルタを用いた場合等における位相特性の劣化が発生しないようになっている。オーディオプリアンプユニット１４０Ａにおける処理結果は、プリアンプ出力信号ＰＡＳ1〜ＰＡＳ7としてオーディオメインアンプユニット１５０へ送られる。
【０１２９】
プリアンプ出力信号ＰＡＳ1〜ＰＡＳ7を受けたオーディオメインアンプユニット１５０は、予め定められた増幅処理を行い、出力音声信号ＡＯＳ1〜ＡＯＳ7として、スピーカユニット１６０1〜１６０7へ送る。そして、スピーカユニット１６０1〜１６０7は、オーディオメインアンプユニット１５０からの出力音声信号ＡＯＳ1〜ＡＯＳ7に従って、音声コンテンツの再生音声を音場空間ＡＳＰへ向けて出力する。
【０１３０】
一方、映像コンテンツデータ信号である映像データ信号ＩＤＤを受けた表示制御ユニット１７０Ａでは、表示制御部１７１Ａによる制御のもとで、上述した映像遅延処理及びデコード処理が施される。表示制御ユニット１７０Ａにおける処理結果は、出力映像データ信号ＤＭＤとして、表示ユニット１８０Ａへ送られる。
【０１３１】
出力映像データ信号ＤＭＤを受けた表示ユニット１８０Ａでは、まず、アナログ変換処理が施される。この後、映像コンテンツの再生映像が表示される。
【０１３２】
こうした再生音声と再生映像については、上述のようにしてリップシンクが図られている。このため、少なくとも想定視聴位置の近傍の利用者には、高品位な音声及び映像が提供される。
【０１３３】
以上説明したように、本実施形態では、オーディオプリアンプユニット１４０Ａにおける後段チャンネル分離処理、周波数分離処理及び音響特性調整処理に際してはＦＩＲ直線位相型フィルタが用いられる。このため、これらの処理において位相特性の劣化が発生しない。また、オーディオプリアンプユニット１４０Ａにおける遅延制御及び表示制御ユニット１７０Ａにおける遅延制御により、リップシンクを図ることができる。したがって、本実施形態によれば、高品位な音声及び映像を再生することができる。
【０１３４】
また、本実施形態では、利用者からの再生音声と再生映像との同期制御実行指令に応答して、同期調整信号発生部１２５がテスト音声データ信号とテスト映像データ信号を含む信号発生指令ＳＪＧを発生する。そして、テスト音声データ信号に基づく出力音声の集音ユニット１３０による検出結果と、テスト映像データ信号に基づく表示ユニット１８０Ａにおける表示タイミングの検出結果とに基づいて、リップシンクを図るべく、遅延制御を行う。このため、リップシンクのための遅延制御を自動的に行うことができ、利用者の利便性を向上することができる。
【０１３５】
［第２実施形態］
次に、本発明の第２実施形態を、図１４〜図１８を主に参照し、他の図面を適宜参照して説明する。なお、本実施形態においても、第１実施形態の場合と同様に、車両に搭載されるコンテンツ再生装置を例示して説明する。
【０１３６】
［構成］
図１４には、第２実施形態に係るコンテンツ再生装置１００Ｂの概略的な構成がブロック図にて示されている。この図１４に示されるように、コンテンツ再生装置１００Ｂは、第１実施形態のコンテンツ再生装置と比べて、ドライブ制御ユニット１２０Ａ、オーディオプリアンプユニット１４０Ａ、表示制御ユニット１７０Ａ及び表示ユニット１８０Ａに代えて、ドライブ制御ユニット１２０Ｂ、オーディオプリアンプユニット１４０Ｂ、表示制御ユニット１７０Ｂ及び表示ユニット１８０Ｂを備える点が異なっている。以下、この相違点に主に着目して説明する。
【０１３７】
ドライブ制御ユニット１２０Ｂは、図１５に示されるように、ドライブ制御ユニット１２０Ａと比べて、ドライブ制御部１２１Ａ及び音声／映像分離部１２４Ａに代えて、ドライブ制御部１２１Ｂ及び音声／映像分離部１２４Ｂを備える点、及び、同期調整信号発生部１２５を備えていない点が異なる。
【０１３８】
ドライブ制御部１２１Ｂは、ドライブ制御部１２１Ａと比べて、信号発生指令ＳＪＧの発行を行わない点、及び、データ選択指令ＳＬＤに代えて、音声／映像分離処理の実行及び非実行を制御する分離処理制御指令ＳＰＣを音声／映像分離部１２４Ｂに対して発行する点が異なっている。また、ドライブ制御部１２１Ｂは、ドライブ制御部１２１Ａと比べて、音声コンテンツの再生音声及び映像コンテンツの再生映像を視聴している利用者が操作入力ユニット１９０に入力した同期調整指令で指定された補正時間をオーディオプリアンプユニット１４０Ｂへバス３００を介して送る点、及び、最終的な補正時間を遅延補正時間として、ＤＶＤの識別情報又はコンテンツの識別情報に関連付けて記憶する点が異なっている。
【０１３９】
音声／映像分離部１２４Ｂは、音声／映像分離部１２４Ａと比べて、コンテンツデータＣＴＤについてのみ音声／映像分離処理を行う点が異なっている。
【０１４０】
図１４のオーディオプリアンプユニット１４０Ｂは、図１６に示されるように、オーディオプリアンプユニット１４０Ａと比べて、オーディオ制御部１４１Ａに代えて、オーディオ制御部１４１Ｂを備える点が異なっている。このオーディオ制御部１４１Ｂは、オーディオ制御部１４１Ａと比べて、上述した第３の音声遅延処理に代えて、オーディオ制御部１４１Ｂからの補正時間に従った第４の音声遅延処理を行う点が異なっている。
【０１４１】
第４の音声遅延処理では、オーディオ制御部１４１Ｂは、信号遅延部２３０で現在設定されている遅延時間のそれぞれに補正時間を加算又は減算したものを新たな補正音声遅延時間として算出する。そして、オーディオ制御部１４１Ｂは、算出された新たな補正音声遅延時間を設定する遅延制御指令ＤＬＣを発行する。
【０１４２】
なお、オーディオ制御部１４１Ｂは、第４の音声遅延処理において算出された新たな補正音声遅延時間の登録は行わない。また、第４の音声遅延制御に際して信号遅延部２３０に対する遅延時間の設定のみでは補正時間分の遅延補正ができない場合には、オーディオ制御部１４１Ｂは、付加遅延時間を算出して、後述する表示制御部１７１Ｂへバス３００を介して送る。
【０１４３】
図１４の表示制御ユニット１７０Ｂは、図１７に示されるように、表示制御ユニット１７０Ａと比べて、表示制御部１７１Ａに代えて、表示制御部１７１Ｂを備える点が異なっている。この表示制御部１７１Ｂは、表示制御部１７１Ａと比べて、テスト映像データ信号を検出した旨の受信を行わない点、及び、上述した第２の映像遅延処理において算出された新たな補正映像遅延時間の登録を行わない点が異なっている。
【０１４４】
図１４の表示ユニット１８０Ｂは、図１８に示されるように、表示ユニット１８０Ａと比べて、テスト映像データ信号検出部１８３を備えていない点が異なっている。
【０１４５】
＜動作＞
次に、上記のように構成されたコンテンツ再生装置１００Ｂの動作について、主に、オーディオ制御部１４１Ｂによる信号遅延部２３０に対する遅延時間（ＤＨk，（ｋ＝１〜６）ＤＬk,ＤＬ7）の設定処理、及び、表示制御部１７１Ｂによる遅延時間ＤＭの設定処理に主に着目して説明する。
【０１４６】
コンテンツ再生装置１００Ｂの電源が投入される等して、コンテンツ再生装置１００Ｂが動作を開始すると、初期化処理が行われる。かかる初期化処理においては、第１実施形態の場合と同様に、補正音声遅延時間（ＣＤＨk，ＣＤＬk,ＣＤＬ7）が登録されていない場合には、上述した第１の音声遅延制御の設定が行われる。また、上述した第１の映像遅延制御が行われる。
【０１４７】
この結果、音声コンテンツ及び映像コンテンツを含むコンテンツをＤＶＤから読み取って再生を行った場合において、スピーカユニット１６０1〜１６０7からの音声コンテンツの再生音声の出力タイミングと、表示ユニット１８０Ｂにおける映像コンテンツの再生映像の表示タイミングとが同期するようになる。
【０１４８】
上記のような初期化処理の後、スピーカユニット１６０1〜１６０7における１３種のスピーカ１６０Ｈ1〜１６１Ｈ6，１６０Ｌ1〜１６１Ｌ7から出力された音声の想定視聴位置における到達タイミングの同期制御実行指令が、利用者により操作入力ユニット１９０に入力されると、その旨がドライブ制御部１２１Ｂに報告される。この報告を受けたドライブ制御部１２１Ｂは、バス３００を介して、音声同期指令をオーディオ制御部１４１Ｂへ送る。そして、音声同期指令を受けたオーディオ制御部１４１Ｂが、第１実施形態の場合と同様に、上述した第２の音声遅延制御を行う。
【０１４９】
この結果、音声コンテンツ及び映像コンテンツを含むコンテンツをＤＶＤから読み取って再生を行った場合において、スピーカユニット１６０1〜１６０7からの音声コンテンツの再生音声の想定視聴位置への到達タイミングの同期が図られるようになる。
【０１５０】
なお、第２の映像遅延制御の処理の実行により補正音声遅延時間（ＣＤＨk，ＣＤＬk,ＣＤＬ7）が登録された場合には、上述した初期化処理においては、補正音声遅延時間（ＣＤＨk，ＣＤＬk,ＣＤＬ7）が信号遅延部２３０に設定されるようになっている。
【０１５１】
この後、ＤＶＤに記録されたコンテンツの再生指令が利用者により操作入力ユニット１９０に入力されると、その旨がドライブ制御部１２１Ｂに報告される。この報告を受けたドライブ制御部１２１Ｂは、ＤＶＤドライブユニット１１０からの読取データ信号ＲＤＤをドライブ制御ユニット１２１Ｂへ向けて出力すべきことをデータ出力選択部１２３に出力選択指令ＤＯＳにより通知する
【０１５２】
引き続き、ドライブ制御部１２１Ｂは、ＤＶＤドライブユニット１１０を制御して、ＤＶＤから識別情報を読み取る。そして、読み取られたＤＶＤの識別情報に関連付けられている補正遅延時間が登録されているか否かを判定する。この判定の結果が否定的であった場合には、ドライブ制御部１２１Ｂは、補正遅延時間をオーディオ制御部１４１Ｂへ送ることなく、読取データ信号ＲＤＤを音声／映像分離部１２４Ｂへ向けて出力すべきことをデータ出力選択部１２３に出力選択指令ＤＯＳにより通知するとともに、音声／映像分離部１２４Ｂに対して音声／映像分離処理の開始を分離処理制御指令ＳＰＣにより通知する。
【０１５３】
次に、ドライブ制御部１２１Ｂは、ＤＶＤドライブユニット１１０を制御して、ＤＶＤからコンテンツデータを読み取る。こうして読み取られたコンテンツデータは、データ出力選択部１２３から出力されるコンテンツデータ信号ＣＴＤとして、音声／映像分離部１２４Ｂへ送られる。
【０１５４】
コンテンツデータ信号ＣＴＤを受けた音声／映像分離部１２４Ｂは、第１実施形態の場合と同様に、コンテンツデータ信号ＣＴＤを音声コンテンツデータ信号と映像コンテンツデータ信号とに分離し、音声コンテンツデータ信号を音声データ信号ＡＤＤとしてバスインターフェース部１２２へ送るとともに、映像コンテンツデータ信号を映像データ信号ＩＤＤとしてバスインターフェース部１２２へ送る。そして、バスインターフェース部１２２からは、ドライブ制御部１２１Ｂによる制御のもとで、音声データ信号ＡＤＤがバス３００を介してオーディオプリアンプユニット１４０Ｂへ送られるとともに、映像データ信号ＩＤＤがバス３００を介して表示制御ユニット１７０Ｂへ送られる
【０１５５】
音声コンテンツデータ信号である音声データ信号ＡＤＤを受けたオーディオプリアンプユニット１４０Ｂでは、第１実施形態の場合と同様に、オーディオ制御部１４１Ｂによる制御のもとで、上述したフロー制御処理、前段チャンネル分離処理、後段チャンネル分離処理、周波数分離処理、集音ユニット１３０における集音結果に含まれる雑音レベルに基づく音響特性調整処理、音声遅延処理、アナログ変換処理及び音量調整処理が施される。オーディオプリアンプユニット１４０Ｂにおける処理結果は、プリアンプ出力信号ＰＡＳ1〜ＰＡＳ7としてオーディオメインアンプユニット１５０へ送られる。
【０１５６】
プリアンプ出力信号ＰＡＳ1〜ＰＡＳ7を受けたオーディオメインアンプユニット１５０は、第１実施形態の場合と同様に、予め定められた増幅処理を行い、出力音声信号ＡＯＳ1〜ＡＯＳ7として、スピーカユニット１６０1〜１６０7へ送る。そして、スピーカユニット１６０1〜１６０7は、オーディオメインアンプユニット１５０からの出力音声信号ＡＯＳ1〜ＡＯＳ7に従って、音声コンテンツの再生音声を音場空間ＡＳＰへ向けて出力する。
【０１５７】
一方、映像コンテンツデータ信号である映像データ信号ＩＤＤを受けた表示制御ユニット１７０Ｂでは、第１実施形態の場合とどうように、表示制御部１７１Ｂによる制御のもとで、上述した映像遅延処理及びデコード処理が施される。表示制御ユニット１７０Ｂにおける処理結果は、出力映像データ信号ＤＭＤとして、表示ユニット１８０Ｂへ送られる。
【０１５８】
出力映像データ信号ＤＭＤを受けた表示ユニット１８０Ｂでは、第１実施形態の場合と同様に、アナログ変換処理が施される。この後、映像コンテンツの再生映像が表示される。
【０１５９】
こうした音声コンテンツ及び映像コンテンツの再生中に、再生音声と再生映像との同期補正制御実行指令が利用者により操作入力ユニット１９０に入力されると、その旨がドライブ制御部１２１Ｂに報告される。この報告を受けたドライブ制御部１２１Ｂは、バス３００を介して、補正制御実行指令に対応する補正遅延時間をオーディオ制御部１４１Ｂへ送る。
【０１６０】
補正遅延時間を受けたオーディオ制御部１４１Ｂは、上述した第４の音声遅延制御を行う。すなわち、オーディオ制御部１４１Ｂは、信号遅延部２３０で現在設定されている遅延時間のそれぞれに補正時間を加算又は減算したものを新たな補正音声遅延時間として算出する。そして、表示制御部１７１Ｂは、算出された新たな補正音声遅延時間を設定する遅延制御指令ＤＲＣを発行する。
【０１６１】
なお、オーディオ制御部１４１Ｂは、第４の音声遅延処理において算出された新たな補正音声遅延時間の登録は行わない。また、第４の音声遅延制御に際して信号遅延部２３０に対する遅延時間の設定のみでは補正時間分の遅延補正ができない場合には、オーディオ制御部１４１Ｂは、付加遅延時間を算出して、表示制御部１７１Ｂへバス３００を介して送る。この付加遅延時間を受けた表示制御部１７１Ｂは、第１実施形態の場合と同様に、上述した第２の映像遅延制御を行う。
【０１６２】
以上のようなリップリンクのための遅延制御は、視聴位置における利用者が満足するリップシンクが実現するまで繰り返される。そして、リップシンクのための遅延時間調整が終了したことが利用者により操作入力ユニット１９０に入力されると、その旨がドライブ制御部１２１Ｂに報告される。この報告を受けたドライブ制御部１２１Ｂは、ＤＶＤドライブユニット１１０を制御して、その時点における最終補正遅延時間をＤＶＤの識別情報に関連付けて、内部に登録する。
【０１６３】
この結果、音声コンテンツ及び映像コンテンツの再生音声と再生とのリップシンクが、利用者の視聴位置において図られるようになる。
【０１６４】
なお、以上のようにして補正遅延時間が内部に登録されると、ドライブ制御部１２１Ｂは、コンテンツの再生指令が利用者により操作入力ユニットに入力され、その旨の報告を受けると、内部に登録された補正遅延時間を読み取って、読み取られた補正遅延時間をオーディオ制御部１４１Ｂへ送るようになっている。
【０１６５】
以上説明したように、本実施形態では、オーディオプリアンプユニット１４０Ｂにおける後段チャンネル分離処理、周波数分離処理及び音響特性調整処理に際してはＦＩＲ直線位相型フィルタが用いられる。このため、これらの処理において位相特性の劣化が発生しない。また、オーディオプリアンプユニット１４０Ｂにおける遅延制御及び表示制御ユニット１７０Ｂにおける遅延制御により、リップシンクを図ることができる。したがって、本実施形態によれば、高品位な音声及び映像を再生することができる。
【０１６６】
また、本実施形態では、音声コンテンツの再生音声と映像コンテンツの再生映像を視聴する利用者による同期補正制御実行指令に従って、リップシンクのための遅延制御を行う。このため、コンテンツデータ信号ＣＴＤの段階で再生音声と再生映像との同期が図られていない場合であっても、視聴位置におけるリップシンクを実現することができる。
【０１６７】
［実施形態の変形］
本発明は、上記の実施形態に限定されるものではなく、様々な変形が可能である。
【０１６８】
例えば、上記の第１実施形態に、第２実施形態で採用したリップシンクの手動調整機能を更に実装することもできる。
【０１６９】
また、上記の第１及び第２実施形態では、ドライブ制御ユニット、オーディオプリアンプユニット及び表示制御ユニットごとに制御部を設けるようにした。これに対し、これらの制御ユニットについて、任意の２つの制御部を１つの制御部として構成することもできるし、２つの制御部を１つの制御部として構成することもできる。
【０１７０】
また、上記の第１及び第２実施形態では、６．１ｃｈサラウンド方式について例示したが、５．１サラウンド方式等の他の方式を採用することもできる。
【０１７１】
また、上記の第１及び第２実施形態では、６．１ｃｈサラウンド方式における各チャンネルに対応して、１３個のスピーカを備えることがしたが、各チャンネルに対応する音を適宜混合し、１２個以下又は１４個以上のスピーカから音出力をさせるようにすることもできる。
【０１７２】
また、車両に搭載され、コンテテンツ再生装置としても機能するナビゲーション装置等が、本実施形態のコンテンツ再生装置１００Ａ又は１００Ｂの機能を有するようにしてもよい。
【０１７３】
また、上記の第１及び第２実施形態では、ＤＶＤに格納されたコンテンツデータを再生するコンテンツ再生装置に本発明を適用したが、地上デジタルテレビ放送等の放送波の受信装置であって、音声信号を、例えば２チャンネル構成から６．１チャンネル構成に変換して利用者に提供する装置に本発明を適用することもできる。
【０１７４】
また、上記の実施形態においては、車両に搭載されるコンテンツ再生装置に本発明を適用したが、車両以外の他の移動体に搭載される音響再生機能を有する装置に本発明を適用することもできるし、移動体に搭載されない音響再生機能を有する装置に本発明を適用することもできる。
【０１７５】
なお、上記の第１及び第２実施形態におけるドライブ制御ユニット１２０Ａ，１２０Ｂ、オーディオプリアンプユニット１４０Ａ，１４０Ｂ及び表示制御ユニット１７０Ａ，１７０Ｂを中央処理装置（ＣＰＵ：Central Processing Unit）、ＤＳＰ（Digital Signal Processor）、読出専用メモリ（ＲＯＭ：Read Only Memory）、ランダムアクセスメモリ（ＲＡＭ：Random Access Memory）等を備えて構成し、予め用意されたプログラムを当該コンピュータで実行することにより、上記の実施形態における処理を行うようにしてもよい。このプログラムはハードディスク、ＣＤ−ＲＯＭ、ＤＶＤ等のコンピュータで読み取り可能な記録媒体に記録され、当該コンピュータによって記録媒体から読み出されて実行される。また、このプログラムは、ＣＤ−ＲＯＭ、ＤＶＤ等の可搬型記録媒体に記録された形態で取得されるようにしてもよいし、インターネットなどのネットワークを介した配送の形態で取得されるようにしてもよい。
【図面の簡単な説明】
【０１７６】
【図１】本発明の第１実施形態に係るコンテンツ再生装置の構成を概略的に示す図である。
【図２】図１のドライブ制御ユニットの構成を示すブロック図である。
【図３】図１のオーディオプリアンプユニットの構成を示すブロック図である。
【図４】図３のチャンネル処理部の構成を示すブロック図である。
【図５】図４のチャンネル分離部の構成を示すブロック図である。
【図６】図５の後段分離部の構成を示すブロック図である。
【図７】図４のチャンネル信号調整部の構成を示すブロック図である。
【図８】図４の信号遅延部の構成を示すブロック図である。
【図９】図１の７つのスピーカユニットの配置位置を説明するための図である。
【図１０】図１のスピーカユニットの構成を説明するための図（その１）である。
【図１１】図１のスピーカユニットの構成を説明するための図（その２）である。
【図１２】図１の表示制御ユニットの構成を示すブロック図である。
【図１３】図１の表示ユニットの構成を示すブロック図である。
【図１４】本発明の第２実施形態に係るコンテンツ再生装置の構成を概略的に示す図である。
【図１５】図１４のドライブ制御ユニットの構成を示すブロック図である。
【図１６】図１４のオーディオプリアンプユニットの構成を示すブロック図である。
【図１７】図１４の表示制御ユニットの構成を示すブロック図である。
【図１８】図１４の表示ユニットの構成を示すブロック図である。
【符号の説明】
【０１７７】
１００Ａ，１００Ｂ  …  コンテンツ再生装置
１２５              …  同期調整信号発生部（テスト信号生成手段）
１３０              …  集音ユニット（テスト音声検出手段の一部）
１４０Ａ            …  オーディオプリアンプユニット（遅延制御手段の一部及びテ
テスト手段の一部）
１４０Ｂ            …  オーディオプリアンプユニット（遅延制御手段の一部）
１６０1〜１６０7    …  スピーカユニット（音声出力手段）
１７１Ａ，１７１Ｂ  …  表示制御部（遅延制御手段の一部）
１７３              …  映像遅延部（映像遅延手段）
１８０Ａ，１８０Ｂ  …  表示ユニット（表示手段）
１８３              …  テスト映像データ信号検出部（テスト映像検出手段）
２１０              …  チャンネル分離部（個別チャンネル信号生成手段）
２１１              …  前段分離部（前段分離手段）
２１２              …  後段分離部（後段分離手段）
２１６1〜２１６6    …  ハイパスフィルタ（高周波成分抽出手段）
２１７1〜２１７6    …  ローパスフィルタ（低周波成分抽出手段）
２１８              …  加算器（加算手段）
２２０              …  チャンネル信号調整部（音響調整手段）
２２１1〜２２１6    …  フィルタセット（個別音響特性調整手段）
２３０              …  信号遅延部（音声遅延手段）
２３１1〜２３１6    …  遅延器セット（個別音声遅延手段の一部）
２３３7             …  遅延器（個別音声遅延手段の一部）
【図１】
2008131589.tif 000003
【図２】
2008131589.tif 000004
【図３】
2008131589.tif 000005
【図４】
2008131589.tif 000006
【図５】
2008131589.tif 000007
【図６】
2008131589.tif 000008
【図７】
2008131589.tif 000009
【図８】
2008131589.tif 000010
【図９】
2008131589.tif 000011
【図１０】
2008131589.tif 000012
【図１１】
2008131589.tif 000013
【図１２】
2008131589.tif 000014
【図１３】
2008131589.tif 000015
【図１４】
2008131589.tif 000016
【図１５】
2008131589.tif 000017
【図１６】
2008131589.tif 000018
【図１７】
2008131589.tif 000019
【図１８】
2008131589.tif 000020